(57)【要約】【課題】簡単な構成で安価に製造でき、分別廃棄の手間も要さない中綴じ冊子体用のファイルを提供する。【解決手段】ファイルとして、基部の上下端に向かってコの字状の保持部を起立させて設けて綴じ具とし、前記綴じ具をファイルの背表紙の内側に上記基部の溶着点を介して上下方向に設けるという手段を採用した。この溶着点は綴じ具の基部の上下端とその間に適当間隔をおいて複数個を列設したものとした。また、綴じ具は、複数個を背表紙の内側に列設したものとした。また、綴じ具の保持部が、基部の左右にヒンジ部を介して揺動自在に設けられたものとした。さらに、各表紙および綴じ具は同じ合成樹脂素材で形成した。【選択図】　図１
2004025466.tif 000002
【特許請求の範囲】
【請求項１】
基部の上下端に向かってコの字状の保持部を起立させて設けて綴じ具とし、前記綴じ具をファイルの背表紙の内側に上記基部の溶着点を介して上下方向に設けたことを特徴とする中綴じ冊子体用のファイル。
【請求項２】
溶着点は綴じ具の基部の上下端とその間に適当間隔をおいて複数個を列設したものである請求項１記載の中綴じ冊子体用のファイル。
【請求項３】
綴じ具は、複数個を背表紙の内側に列設したものである請求項１または請求項２記載の中綴じ冊子体用のファイル。
【請求項４】
綴じ具の保持部が、基部の左右にヒンジ部を介して揺動自在に設けられたものである請求項１から請求項３のいずれか１項記載の中綴じ冊子体用のファイル。
【請求項５】
各表紙および綴じ具が同じ合成樹脂素材で形成されている請求項１から請求項４のいずれか１項記載の中綴じ冊子体用のファイル。
【発明の詳細な説明】
【０００１】
【発明の属する技術分野】
この発明は、例えば写真取扱店等で配布されるポケットアルバムのような、表紙と複数枚の台紙を重ね合わせたうえ二つ折りにし、その折り曲げ部をステープラー等で綴じて構成した中綴じ冊子体を、複数冊、綴じ具に保持して収納、保管できるようにしたファイルに関するものである。
【０００２】
【従来の技術】
従来から、中綴じ冊子体を保持するファイルとして、背表紙の裏側上下に複数対のピン型金具を列設し、このピン型金具に冊子の折り曲げ部を掛止するようにしたいわゆるピン式ファイルや、背表紙裏側に、複数条の針金金具を架設して、この金具に冊子の折り曲げ部を掛止するようにしたいわゆるパンフレットファイルが知られている。
【０００３】
しかしながら、これらのファイルにおける金具（綴じ具）は金属製の金具であり、一方、表紙素材は紙または合成樹脂であったので、金具を取り付けるためにリベット止め等が必要であった。そのため部品点数が多く、また製造工程が複雑となり、製造原価が高くなるという問題があった。
【０００４】
また近年、素材のリサイクルが盛んであり、廃棄時には素材の分別廃棄が求められるようになっているが、金属と紙または合成樹脂とに分別する手間は、利用者に大きな負担となっている。
【０００５】
【発明が解決しようとする課題】
このため、例えば特開２００２−１９３５７号公報にあるようなポケットアルバム用ホルダーが提案されている。このホルダーは、背表紙の上下内面に複数対の半剛性のプラスチック製フック要素を溶着したものであり、フック要素はプラスチックフィルムを二つ折りにした切り欠き状のものである。従って、従来のピン式ファイルの金具をプラスチックに置き換えたような態様である。かかる構成のホルダーは表紙も綴じ具もプラスチック製なので、廃棄時の分別の手間を省くことができるが、構造的に複雑となり、製造工程も多工程となる。即ち、予め切り欠き状のフック要素を形成し、これを上下対になるように背表紙内側に溶着する必要があり、製造工程が非常に複雑となる。また、フック要素はプラスチックフィルム製の切り欠き状であるため、先端部などが容易に変形しやすく、冊子体を保持する上で安定性に欠けるという問題もある。
【０００６】
本発明はかかる実情のもとになされたものであり、簡単な構成で安価に製造でき、分別廃棄の手間も要さない中綴じ冊子体用のファイルを提供することを目的としたものである。
【０００７】
【課題を解決するための手段】
上記目的を達成するため、本発明は、中綴じ冊子体用のファイルにおいて、基部の上下端に向かってコの字状の保持部を起立させて設けて綴じ具とし、前記綴じ具をファイルの背表紙の内側に上記基部の溶着点を介して上下方向に設けるという手段を採用した。
【０００８】
かかるファイルを構成したことにより、中綴じ冊子体を起立した保持部に掛止させて収容することができ、閲覧も容易となる。
【０００９】
このとき、溶着点は綴じ具の基部の上下端とその間に適当間隔をおいて複数個を列設するという手段を採用した。
【００１０】
複数個の溶着点によって、綴じ具を簡単かつ強靱に設けることができる。
【００１１】
また、綴じ具は、複数個を背表紙の内側に列設するという手段を採用した。
【００１２】
これにより多数の冊子体を収納し閲覧することができる。
【００１３】
また、綴じ具の保持部を、基部の左右にヒンジ部を介して揺動自在に設けるという手段を採用した。
【００１４】
保持部が揺動可能なので、冊子体を掛止する場合には、一つの保持部のみを起立させて掛止することが可能であり、また、冊子体を閲覧する場合も、他の保持部を寝かせることによって、冊子体の見開きが容易となり、見やすくなる。
【００１５】
さらに、各表紙および綴じ具を同じ合成樹脂素材で形成するという手段を採用した。
【００１６】
全ての部材が同一の合成樹脂素材で形成されているので、廃棄の際に分別廃棄の手間を要さないという利点がある。
【００１７】
【発明の実施の形態】
以下、本発明にかかる中綴じ冊子体用のファイルの好ましい実施形態を、図面に従って説明する。図１はその全体斜視図であり、図２は表紙を開いた状態の正面図である。図において１、１はファイルの表裏の表紙、２は背表紙である。３、３…は背表紙２の内側に複数の溶着点４、４…によって列設した綴じ具であり、この綴じ具３にポケットアルバム等の中綴じ冊子体（図示せず）を掛止する。図では綴じ具は３列設けているが、その数は任意である。なお、各表紙１、２及び綴じ具３は同じ合成樹脂素材（例えばポリプロピレン等）で構成している。
【００１８】
図３は綴じ具３の拡大図で、（Ａ）は保持部を開いた状態の正面図、（Ｂ）保持部を起立させた状態の斜視図である。図（Ａ）において、５は綴じ具３の基部で、その上下端に向かって、基部の左右にコの字状の保持部６、６が上下端のヒンジ部７、７を介して連設されている。左右の保持部６は図（Ｂ）に示すようにヒンジ部７を介して起立可能であり、自由に揺動する。なお、基部５において、最上段と最下段の溶着点４、４は必須であるが、他の溶着点４’…はファイルに必要な綴じ強度に応じてその数は調整できる。但し、強度の観点から等間隔に設けることが好ましい。また、溶着点４の形状も、図では円形であるがこれに限定するものではなく任意の形状を採用できる。この綴じ具３は、表紙と同じ素材の合成樹脂シートを抜き加工して簡単に得ることができる。そして、上述したように、複数（図１、２では３列）の綴じ具３を背表紙２の内側に溶着点４によって溶着、列設する。
【００１９】
なお、綴じ具３の大きさは、上記実施形態のように背表紙２の縦方向の長さに適応したものに限定するものではなく、必要に応じて、背表紙２の長さよりも短い長さの綴じ具を併せて列設することも可能である。例えば、中綴じ冊子体として、ポケットアルバム等ではポケットが１段のものや２段のもの３段のものなど長さの異なるものがあるが、これらを同時に綴じ合わせる場合、それぞれのポケットアルバムの大きさに応じた綴じ具を一つのファイルに設けておくことにより、両者を同時にファイルできる利点がある。この場合、短い綴じ具は、背表紙の上段、中段、下段の任意の位置に設けることができる。また、その取り付けは上記と同様に、複数の溶着点を介して設ければよい。
【００２０】
次に、このファイルの使用方法について述べると、図４に示すように、中綴じ冊子体（例えば、ポケットアルバム）Ｐを中綴じ部分で開いて基部５と保持部６の間の間隙に挿入して中綴じ部分で掛止する。このとき、保持部６はヒンジ部７を介して揺動可能なので必要な保持部６のみを起立させて冊子体を掛止することができる。同様の作業を繰り返せば、図５に示すように複数の中綴じ冊子体を掛止したファイルが完成する。図５では３冊の冊子体Ｐを掛止した状態を図示しているが、本実施形態では最高６冊の冊子体を掛止することができる。
【００２１】
この場合、各保持部６はヒンジ部７で揺動可能なので、多数の冊子体Ｐを掛止させても、ファイルを開いて見るときには必要な冊子体の保持部６のみを起立させ、他の保持部６は寝かせた状態で見ることができるから、冊子体の見開きが非常に容易で見やすくなる。
【００２２】
【発明の効果】
以上述べたように、本発明にかかる中綴じ冊子体用のファイルは、合成樹脂製の表紙に同じ合成樹脂製の綴じ具を複数溶着した態様であるから、分別廃棄に際して素材分別の手間を要すことがない。また、製造上、部品点数が少ない上、加工工程上も綴じ具の抜き加工と溶着工程等のみであるから、極めて簡単にかつ安価にファイルを提供できる。
【００２３】
また、綴じ具の基部を背表紙の内側に複数の溶着点で溶着するものであるから、強度が大きく、複数の冊子体を綴じ込んでも、その荷重に十分耐えることができる。
【００２４】
さらに、保持部はヒンジ部を介して揺動可能なので、必要な冊子体の保持部のみを起立させ、他の保持部は寝かせた状態で冊子体を見開くことができるから、どの冊子体を閲覧する際も、非常に見やすくなる。
【図面の簡単な説明】
【図１】本発明にかかる中綴じ冊子体用のファイルの全体斜視図である。
【図２】表紙を開いた状態の正面図である。
【図３】（Ａ）は保持部を開いた状態の綴じ具の拡大正面図、（Ｂ）は保持部を起立した状態の綴じ具の拡大斜視図である。
【図４】ファイルに中綴じ冊子体を掛止させる状態の説明図である。
【図５】冊子体を掛止した状態の全体斜視図である。
【符号の説明】
１　　表紙
２　　背表紙
３　　綴じ具
４　　溶着点
５　　基部
６　　保持部
７　　ヒンジ部
【図１】
2004025466.tif 000003
【図２】
2004025466.tif 000004
【図３】
2004025466.tif 000005
【図４】
2004025466.tif 000006
【図５】
2004025466.tif 000007